(57)【特許請求の範囲】
【請求項１】
電源トランスの出力側に複数の出力端子を備えるとともに、これら出力端子のうちの１の出力端子に定電圧制御回路が備えられている電源装置において、
通常の動作モードと、前記各出力端子の出力電圧を降下させる省電力モードとが設けられるとともに、前記省電力モード時に前記定電圧制御回路が備えられていない出力端子の出力電圧を監視可能に構成された制御手段と、前記定電圧制御回路が備えられている出力端子に平滑用のコンデンサとを備え、
前記省電力モード時に、前記制御手段は、前記定電圧制御回路が備えられていない出力端子の出力電圧を監視しながら、この出力電圧が許容電圧を下回らない範囲で前記電源トランスの入力側を制御するとともに、前記定電圧制御回路の制御目標電圧を、通常モード時用に設定された第１の制御目標電圧と省電力モード時用に設定された第２の制御目標電圧とを交互に切り替えることにより得られる出力を、前記平滑用のコンデンサで平滑して出力電圧として出力させることを特徴とする電源装置。
【請求項２】
前記定電圧制御回路を備えていない出力端子が三端子レギュレータを介して前記電源トランスの出力側に接続され、
前記省電力モード時には、前記三端子レギュレータの入出力端子間を短絡させるスイッチ手段が備えられていることを特徴とする請求項１に記載の電源装置。
【請求項３】
前記制御手段は、前記省電力モード時において、前記定電圧制御回路が備えられた出力端子の出力電圧も監視可能に構成されていることを特徴とする請求項１または２に記載の電源装置。
【請求項４】
請求項１から３のいずれかに記載の電源装置を備えた温水暖房機能付きの熱源機であって、
前記定電圧制御回路を備えた出力端子が前記熱源機の制御回路用の電源端子とされ、前記定電圧制御回路を備えていない出力端子が前記熱源機の温水暖房端末との通信回路用の電源端子として用いていることを特徴とする熱源機。
【発明の詳細な説明】
【技術分野】
【０００１】
この発明は電源装置および熱源機に関し、より詳細には、温水暖房端末に温水を供給する温水暖房機能付きの熱源機に使用される多出力電源装置であって１の出力のみが定電圧制御される電源装置に関する。
【背景技術】
【０００２】
給湯装置などの熱源機に搭載される電源装置として、従来より多出力（マルチ出力）のスイッチング電源装置が一般的に用いられている。
【０００３】
図４は、風呂追い焚き機能を備えた給湯装置の電源に用いられている電源装置の回路構成の一例を示している。周知のとおり、図示の電源装置は、商用電源ａから供給される交流電力をダイオードブリッジ回路ｂで整流するとともに平滑コンデンサｃで平滑して得た直流電力を、電源トランスｄに直列に接続されたスイッチング素子を高速でスイッチング（オン／オフ）することによって電源トランスｄの出力側（二次側）に生ずる交流電力をダイオードｆで整流して直流電力として出力するように構成されている。
【０００４】
そして、この図４に示す電源装置では、このようにして電源トランスｄの出力側に生じる直流電力を、電源トランスｄの出力側の巻数比に応じて設けられる複数の出力端子（図示例では、１５Ｖ出力と２５Ｖ出力の２端子）によって取り出すように構成されており、１５Ｖ出力の出力端子が設けられる電源ライン（１５Ｖライン）には１５Ｖ出力の定電圧化を図る定電圧制御回路（たとえば、シャントレギュレータ）ｇが備えられている。なお、図において、符号ｈはスイッチング素子ｅをスイッチングするスイッチングＩＣを示しており、また、符号ｉはスイッチングＩＣｈに与えるフィードバック信号を縁切りするフォトカプラを示している。
【０００５】
ところで、このような電源装置が用いられる給湯装置においては、たとえば、リモコンの運転スイッチがオンの状態で、給湯栓が閉じられるなどして燃焼が停止している待機状態が一定時間（たとえば、１５分）継続するなどの一定条件が満たされた場合に、給湯装置での電力消費を抑制することを目的として、電源装置の出力電圧を降下させる制御を行う省電力モードを備えたものが提案されている（たとえば、特許文献１参照）。
【０００６】
図４の電源装置では、この省電力モード時に、マイコンｊで１５Ｖ出力の電圧を監視しながら上記シャントレギュレータｇの基準端子の電圧を変動させて上記１５Ｖラインの電圧を低下させるようにしている。
【先行技術文献】
【特許文献】
【０００７】
【特許文献１】特開２００２−１０１６４３号公報
【発明の概要】
【発明が解決しようとする課題】
【０００８】
しかしながら、このような従来の電源装置には以下のような問題があり、その改善が望まれていた。
【０００９】
すなわち、この種の電源装置が使用される給湯装置のなかには、温水暖房端末との通信回路用の電源に２５Ｖ出力を使用するものがあるため、かかる通信回路を備えた給湯装置において省電力モードを備えた電源装置の提供が望まれるが、図４に示す電源装置の２５Ｖ出力側には定電圧制御回路が設けられていないため、省電力モード時に１５Ｖ出力側の出力電圧を低くしすぎると２５Ｖ出力側の出力電圧が許容電圧を下回ってしまうおそれがある。
【００１０】
なお、この点については、２５Ｖ出力側にも定電圧制御回路を設けることが考えられるが、そのように構成したのでは部品点数が増加するため、基板サイズが拡張し電源装置小型化の妨げとなるとともに、製造コストの上昇も招くといった問題がある。
【００１１】
本発明は、このような問題点に鑑みてなされたものであって、その目的とするところは、多出力の電源装置において、定電圧制御回路を増設することなく、許容される出力電圧の範囲内で可及的に消費電力の少ない省電力モードを実行できる電源装置を提供することを主たる目的とする。また、かかる電源装置を用いることにより、省電力モード時においても温水暖房端末との通信を適切に行うことができる熱源機を提供することを従たる目的とする。
【課題を解決するための手段】
【００１２】
上記目的を達成するため、本発明の請求項１に係る電源装置は、電源トランスの出力側に複数の出力端子を備えるとともに、これら出力端子のうちの１の出力端子に定電圧制御回路が備えられている電源装置において、通常の動作モードと、前記各出力端子の出力電圧を降下させる省電力モードとが設けられるとともに、前記省電力モード時に前記定電圧制御回路が備えられていない出力端子の出力電圧を監視可能に構成された制御手段と、前記定電圧制御回路が備えられている出力端子に平滑用のコンデンサとを備え、前記省電力モード時に、前記制御手段は、前記定電圧制御回路が備えられていない出力端子の出力電圧を監視しながら、この出力電圧が許容電圧を下回らない範囲で前記電源トランスの入力側を制御するとともに、前記定電圧制御回路の制御目標電圧を、通常モード時用に設定された第１の制御目標電圧と省電力モード時用に設定された第２の制御目標電圧とを交互に切り替えることにより得られる出力を、前記平滑用のコンデンサで平滑して出力電圧として出力させることを特徴とする。
【００１３】
すなわち、この請求項１に係る発明では、省電力モード時に、制御手段が、定電圧制御回路が備えられていない出力端子の出力電圧を監視しながら、その出力電圧が許容電圧を下回らない範囲で電源トランスの入力側を制御するので、定電圧制御回路が備えられていない出力端子の出力電圧を許容電圧まで降下させることができる。そのため、定電圧制御回路が備えられていない出力端子が出力電圧不足に陥ることなく省電力モードを実行することができ、省電力モード時に定電圧制御回路が備えられていない出力端子を有効に利用しつつ、高い省電力効果を得ることができる。
【００１５】
また、省電力モード時には、定電圧制御回路の制御目標電圧として、通常モード時用に設定された第１の制御目標電圧と省電力モード時用に設定された第２の制御目標電圧の２つの制御目標電圧を交互に切り替えることによって得られるパルス波形状の電圧を平滑して定電圧制御回路が備えられた出力端子の出力電圧としているので、第１の制御目標電圧と第２の制御目標電圧を切り替えるタイミングを制御手段で調節することで、省電力モード時に定電圧制御回路が備えられた出力端子から出力される電圧を任意に設定することができる。
【００１６】
また、本発明の請求項２に記載の電源装置は、請求項１に記載の電源装置において、上記定電圧制御回路を備えていない出力端子が三端子レギュレータを介して上記電源トランスの出力側に接続され、上記省電力モード時には、上記三端子レギュレータの入出力端子間を短絡させるスイッチ手段が備えられていることを特徴とする。
【００１７】
すなわち、この請求項２に係る発明では、省電力モード時には、スイッチ手段によって三端子レギュレータの入出力端子間が短絡されるので、省電力モード時に三端子レギュレータで電力が消費されるのが回避されるとともに、電源トランスの出力側の電圧を下げることができるので、電力消費をより少なく抑制することができる。
【００１８】
また、本発明の請求項３に記載の電源装置は、上記制御手段は、上記省電力モード時において、上記定電圧制御回路が備えられた出力端子の出力電圧も監視可能に構成されていることを特徴とする。
【００１９】
すなわち、この請求項３に係る発明では、制御手段が、省電力モード時における定電圧制御回路が備えられた出力端子の出力電圧も監視できるので、当該出力端子の出力電圧が、当該出力端子の許容電圧を下回らないかを監視することができる。
【００２０】
また、本発明の請求項４に記載の熱源機は、請求項１から３のいずれかに記載の電源装置を備えた温水暖房機能付きの熱源機であって、上記定電圧制御回路を備えた出力端子が上記熱源機の制御回路用の電源端子とされ、上記定電圧制御回路を備えていない出力端子が上記熱源機の温水暖房端末との通信回路用の電源端子として用いていることを特徴とする。
【００２１】
すなわち、本発明の請求項４に係る発明では、温水暖房機能付きの熱源機の電源装置に本発明の電源装置が用いられ、当該電源装置において定電圧制御回路を備えていない出力端子が温水暖房端末との通信回路用の電源端子として用いられるので、省電力モード時においても温水暖房端末との通信回路を正常に動作させ、熱源機と温水暖房端末との通信を適切に行わせることができる。
【発明の効果】
【００２２】
本発明によれば、省電力モード時に、定電圧制御回路が備えられていない出力端子の出力電圧をその許容電圧を下回らない範囲で下限値まで降下させることができるので、省電力モード時においても定電圧制御回路が備えられていない出力端子を有効に利用でき、かつ、高い省電力効果を得ることができる。
【００２３】
そして、これれにより、省電力モード時においても温水暖房端末との通信回路を正常に動作させることができ、温水暖房端末との通信を適切に行うことができる熱源機を提供することができる。
【図面の簡単な説明】
【００２４】
【図１】本発明に係る電源装置の一例を示す回路構成図である。
【図２】同電源装置の省電力効果を示す説明図である。
【図３】同電源装置の他の実施形態の一例を示す回路構成図である。
【図４】従来の電源装置の一例を示す概略構成図である。
【発明を実施するための形態】
【００２５】
以下、本発明の実施形態を図面に基づいて詳細に説明する。
実施形態１
本発明に係る電源装置は、温水暖房機能を有する給湯装置などの熱源機の電源に用いられるスイッチング電源装置であって、給湯装置の通常の動作モードと省電力モードとに対応できるように、マイコン１による制御によって、通常動作で出力端子から電圧を出力する通常の動作モードと、出力端子の出力電圧を通常動作時より降下させて出力する省電力モードとを切り替えて使用できるように構成されている。
【００２６】
図１は、このような構成を有するスイッチング電源装置の電源トランス２の出力側（二次側）を図示している。
【００２７】
ここで、スイッチング電源装置における電源トランス２の入力側（一次側）の構成は周知であるので詳細な説明は省略するが、この電源トランス２の入力側には、商用電源から供給される交流電力を整流する整流回路と、整流された電力を平滑する平滑回路と、平滑された直流電力が入力される電源トランス２の入力側のコイルと、このコイルに直列に接続されて入力側のコイルの電力を高速でスイッチングするスイッチング素子と、このスイッチング素子でのスイッチングを制御するスイッチング制御回路とが主要部として備えられている。
【００２８】
スイッチング制御回路は、トランジスタやＦＥＴなどのスイッチング素子をＰＷＭ制御（Ｐulse Ｗidth Ｍodulation）する制御回路であって、電源トランス２の出力側のコイルに所望の電圧が得られるように、スイッチング素子をオン／オフさせる制御パルスのデューティー比を設定するようになっている。そして、このスイッチング制御回路は、電源トランス２の出力側から与えられる帰還電圧に基づいて電源トランス２の出力側の電圧が所望の電圧となるようにフィードバック制御を行うようになっている。なお、このフィードバック用の帰還電圧は、フォトカプラ３を介して電源トランス２の出力側とは絶縁されており、図１には同フォトカプラ３のフォトダイオードが図示されている。
【００２９】
次に、電源トランス２の出力側について説明する。図１に示すように、このスイッチング電源装置は、電源トランス２の出力側に、公称出力が直流２５Ｖの出力端子（以下、「２５Ｖ出力端子」と称する）４と、公称出力が直流１５Ｖの出力端子（以下、「１５Ｖ出力端子」と称する）５の二つの出力端子を備える多出力の電源装置を構成している。
【００３０】
２５Ｖ出力端子４は、ダイオード６、電解コンデンサ７，８および三端子レギュレータ９を主要部とする出力回路に設けられており、電源トランス２の出力側のコイルに発生した電力がこの出力回路を介して２５Ｖ出力端子４から出力できるようになっている。ここで、この２５Ｖ出力端子４は公称出力が直流２５Ｖとされているが、電源トランス２などの部品にばらつきがあることなどから、通常の動作モード（非省電力モード）時における実際の出力電圧（実出力電圧）は、たとえば、直流２９Ｖのように公称出力よりも少し高めに設定されている（図２の非省電力モードの実出力電圧を参照）。
【００３１】
そして、本実施形態では、この２５Ｖ出力端子４は、たとえば、温水暖房装置のような温水暖房端末に温水を供給する機能を備えた給湯装置（温水暖房機能付きの熱源機）において、当該給湯装置が上記温水暖房端末との通信のために備えている通信回路用の電源端子として用いられる。
【００３２】
一方、１５Ｖ出力端子５は、ダイオード１０、電解コンデンサ１１，１２を主要部とする出力回路に設けられており、電源トランス２の出力側のコイルに発生した電力がこの出力回路を介して１５Ｖ出力端子５から出力できるようになっている。そして、この１５Ｖ出力端子５には、定電圧制御を行う定電圧制御回路１８が備えられている。そのため、この１５Ｖ出力端子５については、通常の動作モード（非省電力モード）時における実出力電圧は公称出力と同じ直流１５Ｖに設定されている（図２の非省電力モードの実出力電圧を参照）。
【００３３】
上記定電圧制御回路１８は、シャントレギュレータ１３と、このシャントレギュレータ１３の基準端子に入力する電圧を設定する分圧抵抗１４〜１７を主要部として構成されている。この分圧抵抗１４〜１７は、１５Ｖ出力端子５の電源ラインとグランドとの間に直列に配設されており、抵抗１４，１５と抵抗１６，１７とで分圧された電圧がシャントレギュレータ１３の基準端子に入力されるようになっている。
【００３４】
そして、本実施形態では、グランド側の抵抗１７の両端にＦＥＴ２０が接続されており、このＦＥＴ２０をオンさせることで、上記抵抗１７を短絡できるように構成されている。すなわち、抵抗１７を短絡させることでシャントレギュレータ１３の分圧抵抗の分圧比を変更できるようになっており、これによってシャントレギュレータ１３の制御目標電圧を切り替える（換言すれば、第１の制御目標電圧と第２の制御目標電圧を切り替える）ことができるように構成されている。なお、このＦＥＴ２０の制御端子には上記マイコン１によって制御されるトランジスタ２１が接続されており、このトランジスタ２１をオフさせることでＦＥＴ２０がオンするように構成されている。
【００３５】
そして、本実施形態では、上記抵抗１７を短絡させたときの制御目標電圧は、１５Ｖ出力端子５の公称出力（つまり、通常の動作モード時の出力電圧）と同じに設定される一方、上記抵抗１７を短絡させないときの制御目標電圧は、省電力モード時において１５Ｖ出力端子５の出力電圧として許容される電圧の下限値（または下限値を下回らない近傍値）に設定される。具体的には、この電圧の下限値は、たとえば、後述する図２に示す具体例に従えば直流９．３Ｖに設定され、上記分圧抵抗１４〜１７の各抵抗値はこの条件を満たすように決定される。なお、この下限値に併せて設定される制御目標電圧は、後述するように、省電力モード時に使用される。
【００３６】
このほか、上記１５Ｖ出力端子５の電源ラインには、上述したフォトカプラ３のフォトダイオードが接続されており、当該電源ラインの電圧が上記スイッチング制御回路にフィードバックされるように構成されている。
【００３７】
なお、この１５Ｖ出力端子５は、給湯装置の制御回路用の電源（たとえば、リレーを駆動するための電源）や、給湯装置に接続される給湯装置の遠隔操作用のリモコンに供給する電源、さらには、給湯装置に搭載されるマイコン用電源を生成する回路用の電源の電源端子として用いられる。
【００３８】
上記マイコン１は、給湯装置の動作モード（通常の動作モードと省電力モード）に対応して上記各出力端子４，５の出力電圧を切り替える制御手段であって、本実施形態では、このマイコン１は、図１に示すように、１５Ｖ出力端子４および２５Ｖ出力端子５と接続され、各出力端子４，５の出力電圧を監視できるように構成されている。
【００３９】
そして、このマイコン１は、上記トランジスタ２１のベース端子とも接続されており、該トランジスタ２１のオン／オフを制御できるように構成されている。具体的には、マイコン１は上記トランジスタ２１にパルス信号を与えることができるようになっており、このパルス信号によって上記トランジスタ２１を制御するように構成されている。
【００４０】
次に、このように構成された電源装置の動作について図２を参照しながら説明する。
図２は、本発明に係る電源装置の省電力効果について具体例を挙げて示した説明図である。この図２では、省電力モード時において、１５Ｖ出力端子５の出力電圧として許容される電圧（許容電圧）が直流９．３Ｖ〜１５．７Ｖの範囲とされており、２５Ｖ出力端子４の出力電圧の許容電圧が直流２０Ｖ〜３５Ｖの範囲であると仮定する。また、負荷電流は１５Ｖ出力端子５については７０ｍＡ、２５Ｖ出力端子４については４０ｍＡであるものとする。
【００４１】
このような条件のもとで、マイコン１が通常の動作モードを選択すると、上述したように、１５Ｖ出力端子５の実出力電圧は１５Ｖであり、２５Ｖ出力端子４の実出力電圧は２９Ｖであるので、このときの消費電力は２．２１Ｗとなる。なお、この通常の動作モードにあるときは、上記マイコン１はトランジスタ２１には後述するパルス信号は与えずにトランジスタ２１をオフにして、上記シャントレギュレータ１３の制御目標電圧を直流１５Ｖに設定している。
【００４２】
そして、従来の省電力モードでは、マイコン１は２５Ｖ出力端子４の出力電圧を制御できないので、２５Ｖ出力端子４の出力電圧が許容電圧の下限値（ＤＣ２０Ｖ）を下回らないように、１５Ｖ出力端子５の実出力電圧は余裕をもってたとえば１３Ｖに設定されるので、その結果、図２（ｂ）に示すように、消費電力は１．８７Ｗになる。つまり、通常の動作モード時に対して消費電力を１５％削減するにすぎない。
【００４３】
これに対して、本実施形態に示す電源装置では、マイコン１は、２５Ｖ出力端子４と接続されており、省電力モード時において、当該出力端子４の出力電圧を監視できるので、２５Ｖ出力端子４の出力電圧をマイコン１で監視しながら、当該出力電圧が２５Ｖ出力端子４の許容電圧の下限値（ＤＣ２０Ｖ）を下回らない範囲で（好ましくは、下限値であるＤＣ２０Ｖになるように）電源トランス２の入力側を制御する。
【００４４】
具体的には、この制御は、上記シャントレギュレータ１３の制御目標電圧（ＤＣ１５ＶとＤＣ９．３Ｖ）を交互に切り替えることによって行う。より詳細には、マイコン１は、上記トランジスタ２１に対してパルス信号を与えて、このパルス信号に応じてトランジスタ２１、ＦＥＴ２０をオン／オフさせる。これにより、１５Ｖ出力端子５の電源ラインには直流１５Ｖと９．３Ｖの間の電圧が電解コンデンサ１１，１２で平滑されて１５Ｖ出力端子５から出力される。したがって、このときにトランジスタ２１に与えるパルス信号のデューティー比を可変することで、定電圧制御回路１８が備えられている１５Ｖ出力端子５の出力電圧を制御することができ、１５Ｖ出力端子５の出力の変化に伴って２５Ｖ出力端子４の出力電圧も追随して低下することになる。
【００４５】
このようにして、２５Ｖ出力端子４の出力電圧をマイコン１で監視しながら当該出力端子４の出力電圧をその許容電圧の下限値（ＤＣ２０Ｖ）まで降下させた場合、その時の１５Ｖ出力端子５の電圧は１１．５Ｖとなるので、消費電力は１．６０５Ｗになり、通常の動作モード時に比して消費電力を２７％削減することができる（図２（ｃ）参照）。
【００４６】
このように、本発明によれば、省電力モード時に、定電圧制御回路が備えられていない２５Ｖ出力端子４の出力電圧をその許容電圧を下回らない範囲で下限値まで降下させることができるので、省電力モード時においても２５Ｖ出力端子４を有効に利用でき、かつ、高い省電力効果を得ることができる。そのため、省電力モード時においても、この出力端子４に接続される暖房端末との通信回路を正常に動作させ、熱源機と温水暖房端末との通信を適切に行わせることができる。
【００４７】
実施形態２
次に、本発明の第２の実施形態を図３に基づいて説明する。
この図３に示す電源装置は、上述した実施形態１に示す電源装置の改変例を示すものであって、具体的には、実施形態１に示す電源装置に、三端子レギュレータ９の入出力端子間を短絡させることができるスイッチ手段２５を付加している。なお、その他の構成は、実施形態１と同様であるので、構成が共通する部分には同一の符号を付して説明を省略する。
【００４８】
このスイッチ手段２５は、マイコン１と接続され、省電力モード時に上記マイコン１の制御によって三端子レギュレータ９の入出力端子間を短絡させるように構成されている。具体的には、このスイッチ手段２５としては、たとえば、マイコン１によって制御されるトランジスタやリレー接点などが用いられる。
【００４９】
ここで、このようなスイッチ手段２５を設けているのは、上述した実施形態１に示す電源装置では、省電力モード時に、２５Ｖ出力端子４の出力電圧を許容電圧の下限値（またはその近傍値）まで降下させるように構成しているので、三端子レギュレータ９の入力端子の電圧が低くなって三端子レギュレータ９が目標電圧を出力できなくなることがある。そして、その場合、三端子レギュレータ９には入出力電圧差分の電圧降下があるので、その分、電源トランス２の出力側の電圧を高めに設定しなければならなくなり、その結果、１５Ｖ出力端子側の電圧も高くなってしまい、省電力効果が損なわれるおそれがあるからである。
【００５０】
図２（ｄ）は、実施形態１に示した電源装置にこの実施形態２を適用した場合の消費電力の具体例を示しており、この場合、１５Ｖ出力端子５の実出力電圧をたとえば０．５Ｖ下げることができ、消費電力は１．５７Ｗになる。つまり、実施形態１の電源装置に比して２％、通常の動作モード時に比べれば２９％消費電力を抑制することができ、省電力効果をさらに高めることができる。
【００５１】
なお、上述した実施形態は本発明の好適な実施態様を示すものであって、本発明はこれらに限定されることなく発明の範囲内で種々の設計変更が可能である。
【００５２】
たとえば、上述した実施形態では、電源トランス２の出力側に設けられる出力端子がＤＣ２５ＶとＤＣ１５Ｖの２出力である場合を示したが、電源トランス２の出力側には２以上の出力端子が設けられていてもよい。
【００５３】
また、上述した実施形態では、マイコン１が１５Ｖ出力端子５の出力電圧も監視できるようにマイコン１と１５Ｖ出力端子５とを接続する構成を示したが、本発明に係る電源装置においては、省電力モード時にマイコン１は１５Ｖ出力端子５の出力電圧を監視しなくてもよいので、マイコン１と１５Ｖ出力端子５とが接続されていなくてもよい。
【００５４】
また、上述した実施形態では、特に示していないが、給湯装置が通常の動作モードから省電力モードに移行する場合としては、たとえば、リモコンの運転スイッチがオンの状態で、給湯栓が閉じられるなどして燃焼が停止している待機状態が一定時間継続するなどの場合が挙げられるが、通常の動作モードから省電力モードに移行する条件は適宜設定可能である。
【００５５】
また、上述した実施形態では、電源装置が給湯装置などの熱源機に使用される場合について説明したが、本発明に係る電源装置は給湯装置以外の他の装置の電源としても使用できるのはもちろんである。
【符号の説明】
【００５６】
１                マイコン（制御手段）
２                電源トランス
３                フォトカプラ
４                ２５Ｖ出力端子（定電圧制御回路が備えられていない出力端子）
５                １５Ｖ出力端子（定電圧制御回路が備えられている出力端子）
９                三端子レギュレータ
１１，１２        電解コンデンサ（平滑用のコンデンサ）
１３              シャントレギュレータ
１４〜１７        分圧抵抗
１８              定電圧制御回路
２５              スイッチ手段
【図１】
0005668500.tif 000002
【図２】
0005668500.tif 000003
【図３】
0005668500.tif 000004
【図４】
0005668500.tif 000005